(57)【要約】【課題】測定精度を向上する検査チップを提供する。【解決手段】検査チップ２は、所定の厚みを有する透明な合成樹脂の板材２０を主体とする。板材２０には、板材２０の前面及び後面に所定深さに形成された凹部である液体流路２５が形成されている。検査チップ２に封入された検体１７、第一試薬１８、及び第二試薬１９は、液体流路２５を流動可能である。液体流路２５は、試薬定量流路１３，１５、検体定量流路１１、接続流路１８０、及び測定部８０Ａ，８０Ｂを含む。測定部８０Ａ，８０Ｂは、前後方向に並べて配置されている。接続流路１８０は、測定部８０Ａ，８０Ｂに繋がる流路である。測定部８０Ａ，８０Ｂのそれぞれを前後方向に切断した断面の面積は、接続流路１８０を前後方向に切断した断面の面積より小さい。【選択図】図３
2014126519.tif 000002
【特許請求の範囲】
【請求項１】
一方向に並べて配置され、検体又は試薬が含まれる液体が測定される複数の測定部と、
前記複数の測定部に繋がる流路である接続流路と
を備え、
前記複数の測定部のそれぞれを前記一方向に切断した断面の面積は、前記接続流路を前記一方向に切断した断面の面積より小さいことを特徴とする検査チップ。
【請求項２】
前記複数の測定部のうちの少なくとも２つを連結する連結路を備えたことを特徴とする請求項１に記載の検査チップ。
【請求項３】
前記連結路における前記接続流路側とは反対側の端は、前記複数の測定部に測定光が透過されて測定が行われる場合における測定光の透過位置の前記接続流路側の端よりも、前記接続流路側とは反対側に位置することを特徴とする請求項２に記載の検査チップ。
【請求項４】
前記複数の測定部のうちの少なくとも１つの前記測定部における前記一方向に直交する方向の長さは、前記一方向の長さよりも長いことを特徴とする請求項１から３のいずれかに記載の検査チップ。
【請求項５】
前記複数の測定部のうち少なくとも２つの前記測定部において、前記一方向側の前記測定部における前記一方向の長さは、前記一方向の反対側の前記測定部における前記一方向の長さより短いことを特徴とする請求項１から４のいずれかに記載の検査チップ。
【請求項６】
前記複数の測定部同士を隔てる隔壁のうちの少なくとも１つにおける前記一方向側の壁面は、前記一方向の反対側の壁面より高いことを特徴とする請求項１から５のいずれかに記載の検査チップ。
【請求項７】
前記接続流路に繋がる流路を形成する壁面のうち、前記複数の測定部側の壁面である流路壁面を備え、
前記流路壁面における前記接続流路側の端から、前記流路壁面に直交する方向に引いた線は、前記複数の測定部同士を隔てる隔壁における前記接続流路側の端と交差しないことを特徴とする請求項１から６のいずれかに記載の検査チップ。
【発明の詳細な説明】
【技術分野】
【０００１】
本発明は、検体又は試薬が供給されて測定が行われる測定部を備えた検査チップに関する。
【背景技術】
【０００２】
従来、検体又は試薬が供給されて測定が行われる測定部を備えた検査チップが知られている。例えば、特許文献１に記載の検査対象受体は、計量部と受け部とを備えている。計量部においては、検体が所定量計り取られる。受け部においては、計量部において計り取られた検体が試薬と混合され、混合液が生成される。光学測定は、受け部における混合液に測定光が透過されることで行われる。
【先行技術文献】
【特許文献】
【０００３】
【特許文献１】特開２０１２−７８１１３号公報
【発明の概要】
【発明が解決しようとする課題】
【０００４】
光学測定は、検査対象受体に遠心力が作用されていない状態で行われる。この場合、遠心力の作用によって混合液が受け部の内側に押し付けられない。このため、例えば、検査対象受体における流路の壁部を混合液がつたったり、混合液に振動が加えられたりすることによって、混合液が受け部の外側に移動する場合がある。混合液が光学測定される際に、混合液が受け部の外側に移動すると、正確な光学測定結果が得られない。混合液が受け部の外側に移動することを防止するために、例えば、測定時の測定光の進行方向における受け部の長さを短くして混合液の表面張力又は毛管力を大きくすることが考えられる。しかしながら、測定光の進行方向における受け部の長さが短くなると、混合液を透過する測定光の強度の変化が小さくなる。この結果、光学測定の測定精度が低下する恐れがある。
【０００５】
本発明の目的は、測定精度を向上する検査チップを提供することである。
【課題を解決するための手段】
【０００６】
本発明に係る検査チップは、一方向に並べて配置され、検体又は試薬が含まれる液体が測定される複数の測定部と、前記複数の測定部に繋がる流路である接続流路とを備え、前記複数の測定部のそれぞれを前記一方向に切断した断面の面積は、前記接続流路を前記一方向に切断した断面の面積より小さい。この場合、複数の測定部のそれぞれを一方向に切断した断面の面積が、接続流路を一方向に切断した断面の面積より小さいので、接続流路の断面の面積より大きい断面の面積を有する測定部が設けられている場合に比べて、各測定部に収納された液体には表面張力又は毛管力が強く作用する。よって、液体が、測定の際に測定部から移動する可能性を低減できる。また、測定部は一方向に複数設けられている。このため、測定部において一方向、又は一方向の反対方向に向けて測定光が透過されて光学測定が行われる場合に、１つの測定部が設けられている場合に比べて、測定光が液体を透過する長さを長くできる。よって、測定部に収納された液体を透過する測定光の強度の変化が大きくなり、複数の測定部における光学測定の測定精度が向上する。
【０００７】
前記検査チップは、前記複数の測定部のうちの少なくとも２つを連結する連結路を備えてもよい。この場合、連結路によって測定部が連結されるので、複数の測定部に流入する液体の液面の高さを揃えることができる。よって、複数の測定部のうち、一部の測定部に収容される液体の量が不足する可能性を低減できる。よって、複数の測定部における光学測定の測定精度がさらに向上する。
【０００８】
前記検査チップにおいて、前記連結路における前記接続流路側とは反対側の端は、前記複数の測定部に測定光が透過されて測定が行われる場合における測定光の透過位置の前記接続流路側の端よりも、前記接続流路側とは反対側に位置してもよい。この場合、測定光の透過位置より接続流路側に連結路における接続流路側とは反対側の端が設けられている場合に比べて、複数の測定部において、測定光の透過位置に、より確実に液体が収納される。よって、複数の測定部における光学測定の測定精度がさらに向上する。
【０００９】
前記検査チップにおいて、前記複数の測定部のうちの少なくとも１つの前記測定部における前記一方向に直交する方向の長さは、前記一方向の長さよりも長くてもよい。この場合、一方向又は一方向の反対方向に向けて測定光が測定部を透過されて測定が行われる場合に、測定部における一方向に直交する方向の長さが一方向の長さより短い場合に比べて、測定光が測定部に当たり易くなる。故に、測定光の透過位置と測定部との位置ずれによる測定精度の低下を低減することができる。よって、複数の測定部における光学測定の測定精度がさらに向上する。
【００１０】
前記検査チップにおける前記複数の測定部のうち少なくとも２つの前記測定部において、前記一方向側の前記測定部における前記一方向の長さは、前記一方向の反対側の前記測定部における前記一方向の長さより短くてもよい。検査チップに遠心力が作用されながら測定部に液体が流入される場合には、コリオリ力の作用によって検査チップの回転方向の反対側に液体が押し付けられながら測定部に流入する場合がある。検査チップは、複数の測定部の一方向の長さが互いに同じ長さである場合に比べて、一方向の反対側の測定部に液体が流入し易い。よって、一方向の反対方向が回転方向になるように検査チップが回転された場合に、一方向側の測定部に多くの液体が流入して一方向の反対側の測定部に流入する液体の量が不足する可能性を低減できる。よって、複数の測定部における光学測定の測定精度がさらに向上する。
【００１１】
前記検査チップにおいて、前記複数の測定部同士を隔てる隔壁のうちの少なくとも１つにおける前記一方向側の壁面は、前記一方向の反対側の壁面より高くてもよい。この場合、検査チップは、隔壁における一方向側の壁面と一方向の反対側の壁面とが互いに同じ高さである場合に比べて、一方向の反対側の測定部に液体が流入し易い。よって、一方向の反対方向が回転方向になるように検査チップが回転された場合に、一方向側の測定部に多くの液体が流入して一方向の反対側の測定部に流入する液体が不足する可能性を低減できる。よって、複数の測定部における光学測定の測定精度がさらに向上する。
【００１２】
前記検査チップは、前記接続流路に繋がる流路を形成する壁面のうち、前記複数の測定部側の壁面である流路壁面を備え、前記流路壁面における前記接続流路側の端から、前記流路壁面に直交する方向に引いた線は、前記複数の測定部同士を隔てる隔壁における前記接続流路側の端と交差しなくてもよい。一旦測定部に収納された液体に、接続流路に繋がる流路を介して流入する検体又は試薬がさらに混合される場合、検査チップに対して流路壁面に直交する方向に遠心力が作用される。流路壁面における接続流路側の端から流路壁面に直交する方向に引いた線が、隔壁における接続流路側の端と交差しないので、流路壁面を介して流入する検体又は試薬は、直接測定部に流入するのではなく、測定部より接続流路側に向けて流入する。また、一旦測定部に収納された液体は、遠心力の作用によって接続流路側に流出する。よって、測定部から流出した後の液体と、流路壁面を介して流入する検体又は試薬とは、測定部の外側において混合される。このため、流路壁面を介して流入する検体又は試薬が測定部に直接流入する場合に比べて、一旦測定部に収納された液体と、流路壁面を介して流入する検体又は試薬とがより確実に混合される。よって、複数の測定部における光学測定の測定精度がさらに向上する。
【図面の簡単な説明】
【００１３】
【図１】検査装置１及び制御装置９０を含む検査システム３の構成を示す図である。
【図２】検査チップ２の斜視図である。
【図３】遠心処理前の検査チップ２の正面図である。
【図４】遠心処理前の検査チップ２の背面図である。
【図５】図３のＩ−Ｉ線矢視方向部分断面図である。
【図６】図３のＩＩ−ＩＩ線の矢視方向における第二部位８０２Ａ，８０２Ｂの断面８０９Ａ，８０９Ｂの形状と、ＩＩＩ−ＩＩＩ線の矢視方向における接続流路１８０の断面１８２の形状とを重ねて示した図である。
【図７】遠心処理における検査チップ２の状態遷移図である。
【図８】遠心処理における検査チップ２の状態遷移図である。
【図９】第二試薬１９が接続流路１８０に流入する状態を示す検査チップ２の部分正面図である。
【図１０】連結路８０３が設けられた検査チップ２０１の正面図である。
【図１１】連結路８０４が設けられた検査チップ２０２の正面図である。
【図１２】図５に示す検査チップ２の変形例に係る検査チップ２０３の部分断面図である。
【図１３】図５に示す検査チップ２の変形例に係る検査チップ２０４の部分断面図である。
【図１４】図５に示す検査チップ２の変形例に係る検査チップ２０５の部分断面図である。
【発明を実施するための形態】
【００１４】
本発明を具体化した実施の形態について、図面を参照して説明する。尚、図１は、検査システム３を構成する検査装置１の平面及び制御装置９０の内部の機能ブロックを示している。
【００１５】
＜１．検査システム３の概略構造＞
本発明の実施形態を説明する。図１を参照して、検査システム３の概略構造について説明する。本実施形態の検査システム３は、液体である検体及び試薬を収容可能な検査チップ２と、検査チップ２を用いて検査を行う検査装置１とを含む。検査装置１が検査チップ２から離間した垂直軸線Ａ１を中心として検査チップ２を回転させると、遠心力が検査チップ２に作用する。検査装置１が水平軸線Ａ２を中心に検査チップ２を回転させると、検査チップ２に作用する遠心力の方向である遠心方向が切り替えられる。尚、本実施形態の検査システム３及び検査装置１は、特開２０１２−７８１０７に記載されているように周知の構造であるので、以下の説明では、検査装置１の構造の概略について説明する。
【００１６】
＜２．検査装置１の構造＞
図１を参照して、検査装置１の構造について説明する。以下の説明では、図１の上方、下方、右方、左方、紙面手前側、及び紙面奥側を、それぞれ、検査装置１の前方、後方、右方、左方、上方、及び下方とする。本実施形態では、垂直軸線Ａ１の方向は検査装置１の上下方向であり、水平軸線Ａ２の方向は、検査チップ２が垂直軸線Ａ１を中心として回転される際の速度の方向である。なお、図１は検査装置１の上部筐体３０の天板が取り除かれた状態を示す。
【００１７】
図１に示すように、検査装置１は、上部筐体３０、下部筐体３１、上板３２、ターンテーブル３３、角度変更機構３４、及び制御装置９０を備える。ターンテーブル３３は、後述する上板３２の上側に回転可能に設けられた円盤である。検査チップ２は、ターンテーブル３３の上方に保持される。角度変更機構３４は、ターンテーブル３３に設けられた駆動機構である。この角度変更機構３４は、水平軸線Ａ２を中心に検査チップ２を各々回転させる。上部筐体３０は、後述する上板３２に固定されており、検査チップ２に対して光学測定を行う測定部７が内部に設けられている。制御装置９０は、検査装置１の各種処理を制御するコントローラである。
【００１８】
下部筐体３１の概略構造を説明する。下部筐体３１は、枠部材を組み合わせた箱状のフレーム構造を有する。下部筐体３１の上面には、長方形の板材である上板３２が設けられている。下部筐体３１の内部には、垂直軸線Ａ１を中心にターンテーブル３３を回転させる駆動機構が、次のように設けられている。
【００１９】
下部筐体３１内の左方寄りに、ターンテーブル３３を回転させるための駆動力を供給する主軸モータ３５が設置されている。主軸モータ３５の軸３６は、上方に突出しており、プーリ３７が固定されている。下部筐体３１の中央部には、下部筐体３１の内部から上方に延びる垂直な主軸５７が設けられている。主軸５７は、上板３２を貫通して、下部筐体３１の上側に突出している。主軸５７の上端部は、ターンテーブル３３の中央部に接続されている。
【００２０】
主軸５７は、上板３２の直下に設けられた図示しない支持部材により、回転自在に保持されている。支持部材の下側では、主軸５７にプーリ３８が固定されている。プーリ３７とプーリ３８とに亘って、ベルト３９が掛け渡されている。主軸モータ３５が軸３６を回転させると、プーリ３７、ベルト３９、及びプーリ３８を介して駆動力が主軸５７に伝達される。このとき、主軸５７の回転に連動して、ターンテーブル３３が主軸５７を中心に回転する。
【００２１】
下部筐体３１内の右方寄りに、下部筐体３１の内部において上下方向に延びる図示しないガイドレールが設けられている。図示しないＴ型プレートは、ガイドレールに沿って下部筐体３１内において上下方向に移動可能である。
【００２２】
先述の主軸５７は、内部が中空の筒状体である。図示しない内軸は、主軸５７の内部において上下方向に移動可能な軸である。内軸の上端部は、主軸５７内を貫通してラックギア４３に接続されている。Ｔ型プレートの左端部には、図示しない軸受が設けられている。軸受の内部では、内軸の下端部が回転自在に保持される。
【００２３】
Ｔ型プレートの前方には、Ｔ型プレートを上下動させるためのステッピングモータ５１が固定されている。ステッピングモータ５１の軸５８は後方、すなわち図１では下方側に向けて突出している。軸５８の先端には、図示しない円盤状のカム板が固定されている。カム板の後側の面には、図示しない円柱状の突起が設けられている。突起の先端部は、図示しない溝部に挿入されている。突起は、溝部内を摺動可能である。ステッピングモータ５１が軸５８を回転させると、カム板の回転に連動して突起が上下動する。このとき、溝部に挿入されている突起に連動して、Ｔ型プレートがガイドレールに沿って上下動する。
【００２４】
角度変更機構３４の詳細構造を説明する。角度変更機構３４は、ターンテーブル３３の上面に固定された一対のＬ型プレート６０を有する。各Ｌ型プレート６０は、ターンテーブル３３の中心近傍に固定された基部から上方に延び、且つ、その上端部がターンテーブル３３の径方向外側に向けて延びている。一対のＬ型プレート６０の間には、内軸に固定された図示しないラックギア４３が設けられている。ラックギア４３は、上下方向に長い金属製の板状部材であり、両端面にギアが各々刻まれている。
【００２５】
各Ｌ型プレート６０の延設方向の先端側では、ギア４５を有する水平な支軸４６が回転自在に軸支されている。支軸４６は図示外の装着用ホルダを介して検査チップ２に固定されている。このため、ギア４５の回転に連動して検査チップ２も支軸４６を中心に回転する。ギア４５とラックギア４３との間には、Ｌ型プレート６０により図示略の水平軸線を中心に回転自在に支持されたピニオンギア４４が介在している。ピニオンギア４４は、ギア４５及びラックギア４３にそれぞれ噛合している。ラックギア４３の上下動に連動して、ピニオンギア４４、及びギア４５がそれぞれ従動回転し、ひいては検査チップ２が支軸４６を中心に回転する。
【００２６】
本実施形態では、主軸モータ３５がターンテーブル３３を回転駆動するのに伴って、検査チップ２が垂直軸である主軸５７を中心に回転して、検査チップ２に遠心力が作用される。検査チップ２の垂直軸線Ａ１を中心とした回転を、公転と呼ぶ。一方、ステッピングモータ５１が内軸を上下動させるのに伴って、検査チップ２が水平軸である支軸４６を中心に回転して、検査チップ２に作用する遠心力の方向が相対変化する。検査チップ２の水平軸線Ａ２を中心とした回転を、自転と呼ぶ。
【００２７】
Ｔ型プレートが可動範囲の最下端まで下降した状態では、ラックギア４３も可動範囲の最下端まで下降する。このとき、検査チップ２は、自転角度が０度の定常状態になる。また、Ｔ型プレートが可動範囲の最上端まで上昇した状態では、ラックギア４３も可動範囲の最上端まで上昇する。このとき、検査チップ２は、定常状態から水平軸線Ａ２を中心に１８０度回転した状態になる。つまり、本実施形態では検査チップ２が自転可能な角度幅は、自転角度０度〜１８０度である。
【００２８】
上部筐体３０の詳細構造を説明する。図１に示すように、上部筐体３０は、枠部材を組み合わせた箱状のフレーム構造を有し、上板３２の左部上側に設置されている。より詳細には、上部筐体３０は、ターンテーブル３３の回転中心にある主軸５７からみて、検査チップ２が回転される範囲の外側に設けられている。
【００２９】
上部筐体３０の内部に設けられた測定部７は、測定光を発光する光源７１と、光源７１から発せられた測定光を検出する光センサ７２とを有する。光源７１及び光センサ７２は、検査チップ２の回転範囲の外側において、ターンテーブル３３の前後両側に配置されている。本実施形態では、検査チップ２の公転可能範囲のうちで主軸５７の左側位置が、検査チップ２に測定光が照射される測定位置である。検査チップ２が測定位置にある場合、光源７１と光センサ７２とを結ぶ測定光が、検査チップ２の前面及び後面に対して略垂直に交差する。
【００３０】
＜３．制御装置９０の電気的構成＞
図１を参照して、制御装置９０の電気的構成について説明する。制御装置９０は、検査装置１の主制御を司るＣＰＵ９１と、各種データを一時的に記憶するＲＡＭ９２と、制御プログラムを記憶したＲＯＭ９３とを有する。ＣＰＵ９１には、ユーザが制御装置９０に対する指示を入力するための操作部９４と、各種データ、及びプログラムを記憶するハードディスク装置９５と、各種情報を表示するディスプレイ９６とが接続されている。制御装置９０としては、パーソナルコンピュータを用いてもよいし、専用の制御装置を用いてもよい。
【００３１】
さらに、ＣＰＵ９１には、公転コントローラ９７、自転コントローラ９８、及び測定コントローラ９９が接続されている。公転コントローラ９７は、主軸モータ３５を回転駆動させる制御信号を主軸モータ３５に送信することによって、検査チップ２の公転を制御する。自転コントローラ９８は、ステッピングモータ５１を回転駆動させる制御信号をステッピングモータ５１に送信することによって、検査チップ２の自転を制御する。測定コントローラ９９は、測定部７を駆動することによって、検査チップ２の光学測定を実行する。詳細には、測定コントローラ９９は、光源７１の発光、及び光センサ７２の光検出を実行させる制御信号を、光源７１及び光センサ７２に送信する。尚、ＣＰＵ９１が公転コントローラ９７、自転コントローラ９８及び測定コントローラ９９を制御する。
【００３２】
＜４．検査チップ２の構造＞
図２〜図６を参照して、本実施形態に係る検査チップ２の詳細構造を説明する。以下の説明では、図２の上方、下方、左下方、右上方、左上方、及び右下方を、それぞれ、検査チップ２の上方、下方、前方、後方、左方、及び右方とする。
【００３３】
図２〜図４に示すように、検査チップ２は一例として前方から見た場合に正方形状であり、所定の厚みを有する透明な合成樹脂の板材２０を主体とする。図２及び図３に示すように、板材２０の前面は、透明の合成樹脂の薄板から構成されたシート２９１によって封止されている。図４に示すように、板材２０の後面は、透明の合成樹脂の薄板から構成されたシート２９２によって封止されている。図２〜図４に示すように、板材２０とシート２９１との間、及び板材２０とシート２９２との間には、検査チップ２に封入された液体が流動可能な液体流路２５が形成されている。液体流路２５は、板材２０の前面側及び後面側に所定深さに形成された凹部であり、板材２０の厚み方向である前後方向と直交する方向に延びる。シート２９１，２９２は、板材２０の流路形成面を封止する。なお、シート２９１，２９２は、図２〜図４以外では図示を省略している。尚、液体流路２５が板材２０の表面に形成され、裏面は、板材２０により形成されてもよい。
【００３４】
図２〜図４に示すように、液体流路２５は、試薬定量流路１３，１５、検体定量流路１１、接続流路１８０、及び測定部８０Ａ，８０Ｂを含む。試薬定量流路１５は、検査チップ２の左上部に設けられている。試薬定量流路１３は、試薬定量流路１５の右側に設けられている。検体定量流路１１は、試薬定量流路１３の右側、且つ検査チップ２の右上部に設けられている。測定部８０Ａ、８０Ｂは、検査チップ２の右下部に設けられている。接続流路１８０及び測定部８０Ａ，８０Ｂの詳細については後述する。
【００３５】
試薬定量流路１３について説明する。試薬定量流路１３は、試薬保持部１３１、試薬供給部１３２、試薬案内部１３３、試薬定量部１３４、通路１３５、通路１３７、及び試薬余剰部１３６を含む。試薬保持部１３１は、上方に開口する凹部である。試薬保持部１３１は、図３に示す第一試薬１８が注入及び貯留される部位である。試薬供給部１３２は、試薬保持部１３１の右上部分から下方向に延びる第一試薬１８の流路である。試薬供給部１３２の下端部は、流路が狭く形成された試薬案内部１３３に接続する。試薬案内部１３３の下方には、試薬定量部１３４が設けられている。試薬定量部１３４は、第一試薬１８を定量する部位であり、左下方に凹む凹部である。
【００３６】
試薬案内部１３３と試薬定量部１３４とが連通する部位から、通路１３５が左方向に延び、通路１３７が右方向に延びている。通路１３５は、試薬定量部１３４の左下方に設けられた試薬余剰部１３６まで延びている。試薬余剰部１３６は、試薬定量部１３４から溢れ出た第一試薬１８が貯留される部位であり、通路１３５の下端部から右方向に設けられた凹部である。通路１３７は、右方向に延びた後、下方に延びる。通路１３７を形成する右側の壁面１３８の下端は、壁面１３９に接続されている。壁面１３９は、右斜め下方向に延び、後述する接続流路１８０に繋がっている。
【００３７】
試薬定量流路１５について説明する。試薬定量流路１５は、試薬保持部１５１、試薬供給部１５２、試薬案内部１５３、試薬定量部１５４、通路１５５、通路１５７、試薬余剰部１５６、第一保持部１５８、第二保持部１５９、第三保持部１６０、及び第四保持部１６１を含む。試薬保持部１５１、試薬供給部１５２、試薬案内部１５３、試薬定量部１５４、通路１５５、及び試薬余剰部１５６は、それぞれ、試薬保持部１３１、試薬供給部１３２、試薬案内部１３３、試薬定量部１３４、通路１３５、及び試薬余剰部１３６の構成と同様である。
【００３８】
通路１５７は、試薬定量部１３４の右方に設けられた第一保持部１５８に繋がっている。第一保持部１５８は、右方に凹んだ凹部である。第一保持部１５８は、第一保持部１５８の左下方に設けられた第二保持部１５９に繋がっている。第二保持部１５９は、下方に凹む凹部である。第二保持部１５９は、第二保持部１５９の右方に設けられた第三保持部１６０に繋がっている。第三保持部１６０は、右方に凹む凹部である。第三保持部１６０は、第三保持部１６０の下方に設けられた第四保持部１６１に繋がっている。第四保持部１６１は、下方に凹む凹部である。第四保持部１６１は、第四保持部１６１の右上方に設けられた後述する接続流路１８０に繋がっている。
【００３９】
検体定量流路１１について説明する。図２〜図４に示すように、検体定量流路１１は、検体保持部１１１、第一供給部１１２、第一案内部１１３、分離部１２４、通路１２５、通路１２７、第一余剰部１２６、第二供給部１２３、定量部１１４、通路１１５、通路１１７、及び第二余剰部１１６等を含む。検体保持部１１１は、試薬供給部１３２の右側に設けられている。検体保持部１１１は、上方に開口する凹部である。検体保持部１１１は、図３に示す検体１７が注入及び貯留される部位である。本実施形態の検体１７は、例えば、血液、血漿、血球、骨髄、尿、膣組織、上皮組織、腫瘍、精液、唾液、又は食料品などである。第一供給部１１２は、検体保持部１１１の右上部分から下方に延びる検体１７の流路である。第一供給部１１２の下端部は、流路が狭く形成された通路である第一案内部１１３に繋がっている。
【００４０】
第一案内部１１３の下方には、分離部１２４が設けられている。分離部１２４は検体１７に含まれる成分が分離される部位である。分離部１２４は、右斜め下方に凹んでいる。第一案内部１１３と分離部１２４とが連通する部位から、通路１２５が左方向に延び、通路１２７が右斜め上方向に延びている。通路１２５は、左方向に延びた後、下方に延び、分離部１２４の左下方に設けられた第一余剰部１２６まで延びている。第一余剰部１２６は、分離部１２４から溢れ出た検体１７が貯留される部位であり、通路１２５の下端部から右方向に設けられた凹部である。
【００４１】
右斜め上方に延びる通路１２７は、第二供給部１２３に繋がっている。第二供給部１２３は、右方に凹んでいる。第二供給部１２３の下端は、流路が狭く形成された通路である第二案内部１２８に繋がっている。第二案内部１２８の下方には、定量部１１４が設けられている。定量部１１４は、検体１７を定量する部位であり、上側に開口する凹部である。定量部１１４、左斜め下方に凹んでいる。定量部１１４と第二案内部１２８とが連通する部位から、通路１１５が左方向に延び、通路１１７が右方向に延びている。定量部１１４の左下方には、第二余剰部１１６が設けられている。通路１１５は、第二余剰部１１６に繋がっている。第二余剰部１１６は、定量部１１４から溢れ出た検体１７が貯留される部位である。第二余剰部１１６は、通路１１５の下端部から右方向の設けられた凹部である。通路１１７は、右方向に延びた後、下方に延び、接続流路１８０に繋がっている。
【００４２】
接続流路１８０及び測定部８０Ａ，８０Ｂについて説明する。図２〜図５に示すように、接続流路１８０は、接続流路１８０の下方に設けられた測定部８０Ａ，８０Ｂに繋がる流路である。接続流路１８０は、板材２０の前面及び後面が開口されて形成されている。このため、接続流路１８０は、板材２０を前後方向に貫通している。第四保持部１６１と接続流路１８０とが繋がる位置における接続流路１８０の左側の壁面を壁面１８３という。壁面１８３は、第四保持部１６１の後面が、接続流路１８０と繋がる右端において後方に延びることによって形成されている。壁面１８３が設けられていることによって、接続流路１８０に流入した検体１７１、第一試薬１８、第二試薬１９等が第四保持部１６１側に漏れ難くなっている。通路１１７と接続流路１８０とが繋がる位置における接続流路１８０の上側の壁面を壁面１８４という。壁面１８４は、通路１１７の後面が、接続流路１８０と繋がる下端において後方に延びることによって形成されている。
【００４３】
測定部８０Ａ，８０Ｂは、下方に凹む凹部であり、前後方向に並べて配置されている。測定部８０Ａは、板材２０の前面が開口されて形成されている。測定部８０Ｂは、板材２０の後面が開口されて形成されている。測定部８０Ａ，８０Ｂを隔てる壁部を隔壁１７４という。測定部８０Ａは、第一部位８０１Ａと第二部位８０２Ａとを備えている。測定部８０Ｂは、第一部位８０１Ｂと第二部位８０２Ｂとを備えている。第一部位８０１Ａ，８０１Ｂは、接続流路１８０と接続された部位であり、それぞれ、第一部位８０１Ａ，８０１Ｂの上側に位置する。第一部位８０１Ａの左側の壁面８０８Ａと、第一部位８０１Ｂの左側の壁面８０８Ｂと、接続流路１８０の左下部の壁面１８５とによって、左側に凹む凹部１８６が形成されている。第二部位８０２Ａ，８０２Ｂは、直方体状の部位である。後述する光学測定が行われる際には、測定部８０Ａ，８０Ｂのうち、第二部位８０２Ａ，８０２Ｂに測定光が透過される。
【００４４】
図３に示すように、第一部位８０１Ａの左側の壁面８０８Ａは、右斜め下方に傾いている。また、図５に示すように、第一部位８０１Ａの後面を形成する隔壁１７４の上部は、前斜め下方に傾いている。よって、第一部位８０１Ａは、接続流路１８０から第二部位８０２Ａに向かう下方向に向けて徐々に流路が狭くなるように形成されている。同様に、図４に示すように、第一部位８０１Ｂの左側の壁面８０８は、右斜め下方に傾いている。図５に示すように、第一部位８０１Ｂの前面を形成する隔壁１７４の上部は、後斜め下方に傾いている。よって、第一部位８０１Ｂは、接続流路１８０から第二部位８０２Ｂに向かう下方向に向けて徐々に流路が狭くなるように形成されている。図３及び図５に示すように、測定部８０Ａ，８０Ｂ、より詳細には第二部位８０２Ａ，８０２Ｂにおける前後方向に直交する方向である左右方向の長さＬ１は、前後方向の長さＬ２より長い。
【００４５】
図６は、図３のＩＩ−ＩＩ線の矢視方向における第二部位８０２Ａ，８０２Ｂの断面８０９Ａ，８０９Ｂの形状と、ＩＩＩ−ＩＩＩ線の矢視方向における接続流路１８０の断面１８２の形状とを重ねて示した図である。ＩＩ−ＩＩ線及びＩＩＩ−ＩＩＩ線は、接続流路１８０から測定部８０Ａ，８０Ｂに向かう方向に直交する方向の線である。すなわち、ＩＩ−ＩＩ線及びＩＩＩ−ＩＩＩ線は、左右方向に向く線である。図６に示すように、測定部８０Ａ，８０Ｂ、より詳細には第二部位８０２Ａ，８０２Ｂのそれぞれを、前後方向に切断した断面８０９Ａ，８０９Ｂの面積は、接続流路１８０を前後方向に切断した断面１８２の面積より小さい。
【００４６】
図５に示すように、隔壁１７４の上部は、右側からみた場合に上方に尖っている。隔壁１７４における接続流路１８０側の端を上端１７５と言う。図３に示すように、第四保持部１６１を形成する壁面のうち、複数の測定部８０Ａ，８０Ｂ側である右側の壁面を流路壁面１６２という。流路壁面１６２は、下辺部２４から右斜め上方に延びる。流路壁面１６２における接続流路１８０側の端１６５から、流路壁面１６２に直交する方向に引いた線を直交線１６４という。直交線１６４は、隔壁１７４の上端１７５より接続流路１８０側である上側に位置しており、上端１７５と交差しない。以下の説明では、測定部８０Ａ，８０Ｂ、接続流路１８０、及び通路１１７が上下方向に連なる部位を連接部１８１という。
【００４７】
＜５．検査チップ２のその他構造＞
図１に示すように、Ｌ型プレート６０から延びる支軸４６は、図示外の装着用ホルダを介して板材２０の後面中央に垂直に連結される。支軸４６の回転に伴って、検査チップ２が支軸４６を中心に自転する。検査チップ２は図２〜図４に示す定常状態である場合、上辺部２１及び下辺部２４が重力Ｇの方向と直交し、右辺部２２及び左辺部２３が重力Ｇの方向と平行、且つ、左辺部２３が右辺部２２よりも主軸５７側に配置される。定常状態の検査チップ２が測定位置に配置されている状態において、光源７１と光センサ７２とを結ぶ測定光を測定部８０Ａ，８０Ｂに通過させることで、検査装置１は光学測定による検査を行う。このとき、測定部８０Ａ，８０Ｂは、測定光の進行方向に並んだ状態となっている。すなわち、測定部８０Ａ，８０Ｂが並ぶ前後方向は、光学測定における測定光の進行方向と平行である。
【００４８】
＜６．検査方法の一例＞
図２〜図９を参照して、検査装置１及び検査チップ２を用いた検査方法について説明する。図３に示すように、試薬定量流路１３の試薬保持部１３１に第一試薬１８が配置され、試薬定量流路１５の試薬保持部１５１に第二試薬１９が配置され、検体保持部１１１に検体１７が配置される。第一試薬１８、第二試薬１９、及び検体１７の配置方法は限定されない。例えば、シート２９１における試薬保持部１３１、試薬保持部１５１、及び検体保持部１１１に対応する位置に穴が開いており、ユーザが穴から、第一試薬１８、第二試薬１９、及び検体１７を注入し、さらにシールをして封止してもよい。また、予め、第一試薬１８と第二試薬１９とが試薬保持部１３１に配置されて、シート２９１によって封止されていてもよい。この場合、シート２９１における検体保持部１１１に対応する位置に穴が開いており、ユーザが穴から検体１７を注入し、さらにシールをして封止してもよい。また、上辺部２１における試薬保持部１３１、試薬保持部１５１、及び検体保持部１１１の上側の部位が開口しており、ユーザが開口から第一試薬１８、第二試薬１９、及び検体１７を注入し、開口を封止してもよい。
【００４９】
次いで、検査チップ２が支軸４６に取り付けられて、制御装置９０に処理開始のコマンドが入力されると、以下の測定動作が実行される。なお、検査装置１は二つの検査チップ２を同時に検査可能であるが、以下では説明の便宜のため、１つの検査チップ２を検査する手順を説明する。以下の説明では、図２に示す検査チップ２の定常状態を自転角度０度とし、定常状態から９０度反時計回りに回転した状態を自転角度９０度とする。
【００５０】
まず、ＣＰＵ９１の指示に基づき、公転コントローラ９７が主軸モータ３５を制御してターンテーブル３３の駆動を開始する。この結果、自転角度が０度の検査チップ２が公転する。本実施形態では、検査チップ２が公転される場合、図５に示すように検査チップ２の前方向が公転の方向であるとする。ＣＰＵ９１の指示に基づき、公転コントローラ９７が主軸モータ３５を制御してターンテーブル３３の回転速度を上げる。回転速度が３０００ｒｐｍに達すると、主軸モータ３５はこの回転速度を保持する。尚、回転速度は、３０００ｒｐｍに限られず、他の回転速度でもよい。
【００５１】
図７（Ａ）に示すように、左辺部２３から右辺部２２に向けて、検査チップ２に遠心力Ｘが作用する。遠心力Ｘの作用によって検体１７は検体保持部１１１から第一供給部１１２に移動する。同様に、第一試薬１８及び第二試薬１９は、それぞれ、試薬保持部１３１，１５１から試薬供給部１３２，１５２に移動する。
【００５２】
次いで、ＣＰＵ９１の指示に基づき、自転コントローラ９８がステッピングモータ５１を駆動制御することによって、図７（Ｂ）に示すように、公転中の検査チップ２が前方からみて反時計回りに９０度自転される。この結果、上辺部２１から下辺部２４に向けて、検査チップ２に遠心力が作用する。遠心力Ｘの作用によって、検体１７は第一案内部１１３を介して分離部１２４に供給される。分離部１２４において余った検体１７は、通路１１５を介して第一余剰部１２６に流れる。このため、分離部１２４の容量分の検体１７が分離部１２４に残る。また、第一試薬１８及び第二試薬１９は、それぞれ、試薬案内部１３３，１５３を介して試薬定量部１３４，１５４に供給される。試薬定量部１３４，１５４において余った第一試薬１８及び第二試薬１９は、それぞれ、通路１３５，１５５を介して試薬余剰部１３６，１５６に流れる。このため、試薬定量部１３４，１５４の容量分の第一試薬１８及び第二試薬１９が定量される。
【００５３】
所定時間の間、上辺部２１から下辺部２４に向けて、検査チップ２に遠心力Ｘが作用される。このとき、分離部１２４においては、検体１７の成分が分離される。例えば、検体１７が血液の場合、比重の大きい血球が遠心力Ｘの作用方向側に溜まり、比重の小さい血漿が遠心力Ｘの作用方向の反対側に溜まる。すなわち、血液中の血球と血漿とが分離される。また、検体１７が血漿である場合、比重の大きいＨＤＬコレステロールが遠心力Ｘの作用方向側に溜まり、比重の小さいＬＤＬコレステロールが遠心力Ｘの作用方向とは反対側に溜まる。すなわち、血漿中のＨＤＬコレステロールとＬＤＬコレステロールとが分離される。以下の説明では、検体１７は血液であるとする。また、分離部１２４において分離された比重の軽い血漿を、検体１７１といい、比重の重い血球を検体１７２という。
【００５４】
次いで、ＣＰＵ９１の指示に基づき、自転コントローラ９８がステッピングモータ５１を駆動制御することによって、図７（Ｃ）に示すように、公転中の検査チップ２が前方から見て時計回りに９０度自転される。これによって、検査チップ２の自転角度が０度に設定される。この結果、左辺部２３から右辺部２２に向けて検査チップ２に遠心力Ｘが作用する。検査チップ２の自転角度が０度になると、検体１７１は通路１２７を通って第二供給部１２３に移動する。なお、検体１７２は、分離部１２４に残る。試薬定量部１３４において定量された第一試薬１８は、通路１３７の壁面１３８及び壁面１３９に沿って移動し、連接部１８１に移動する。試薬定量部１５４において定量された第二試薬１９は、通路１５７と通って第一保持部１５８に移動する。
【００５５】
次いで、ＣＰＵ９１の指示に基づき、自転コントローラ９８がステッピングモータ５１を駆動制御することによって、図７（Ｄ）に示すように、検査チップ２が前方からみて反時計回りに９０度自転される。これによって、検査チップ２の自転角度が９０度に設定される。この結果、上辺部２１から下辺部２４に向けて検査チップ２に遠心力Ｘが作用する。遠心力Ｘの作用によって、検体１７１は第二案内部１２８を介して定量部１１４に供給される。定量部１１４において余った検体１７１は、通路１１５を介して第二余剰部１１６に流れる。このため、定量部１１４の容量分の検体１７１が定量される。第一試薬１８は、下方に移動し、測定部８０Ａ，８０Ｂに流入する。第二試薬１９は、第一保持部１５８から第二保持部１５９に移動する。
【００５６】
次いで、ＣＰＵ９１の指示に基づき、自転コントローラ９８がステッピングモータ５１を駆動制御することによって、図７（Ｅ）に示すように、検査チップ２が前方からみて時計回りに９０度自転される。これによって、検査チップ２の自転角度が０度に設定される。この結果、左辺部２３から右辺部２２に向けて検査チップ２に遠心力Ｘが作用する。遠心力Ｘの作用によって、測定部８０Ａ，８０Ｂに収納された第一試薬１８は、連接部１８１に移動する。定量部１１４において定量された検体１７１は、通路１１７を通って連接部１８１に移動する。遠心力Ｘの作用によって、連接部１８１において第一試薬１８と検体１７１とが混合され、第一混合液２６１が生成される。第二試薬１９は、第二保持部１５９から第三保持部１６０に移動する。
【００５７】
次いで、ＣＰＵ９１の指示に基づき、自転コントローラ９８がステッピングモータ５１を駆動制御することによって、図７（Ｆ）に示すように、検査チップ２が前方からみて反時計回りに９０度自転される。これによって、検査チップ２の自転角度が９０度に設定される。この結果、上辺部２１から下辺部２４に向けて検査チップ２に遠心力Ｘが作用する。遠心力Ｘの作用によって、第一混合液２６１は、測定部８０Ａ，８０Ｂに移動する。このとき、第一混合液２６１は、隔壁１７４によって分岐されて、測定部８０Ａ，８０Ｂに流入する。第二試薬１９は、第三保持部１６０から第四保持部１６１に移動する。
【００５８】
次いで、主軸モータ３５の駆動制御によって、主軸モータ３５が減速駆動され、主軸モータ３５が停止する。故に、検査チップ２の公転が停止される。ＣＰＵ９１の指示に基づき、自転コントローラ９８がステッピングモータ５１を駆動制御することによって、検査チップ２が前方からみて時計回りに９０度自転される。これによって、図８（Ｇ）に示すように、検査チップ２の自転角度が０度に設定される。この結果、上辺部２１から下辺部２４に向けて検査チップ２に重力Ｇが作用する。図示しないが、検査チップ２が自転角度９０度から０度に変化する間、遠心力Ｘが作用されていないので、重力Ｇの作用によって、第一混合液２６１の一部は凹部１８６に移動する。第一混合液２６１が凹部１８６に移動するので、第一混合液２６１が第四保持部１６１に移動する可能性を低減できる。検査チップ２の自転角度が０度になると、重力Ｇの作用によって、一旦凹部１８６に移動した第一混合液２６１が測定部８０Ａ，８０Ｂに再び移動する。
【００５９】
検査チップ２の自転角度が０度に変化した後、主軸モータ３５の駆動制御によって、検査チップ２が測定位置の角度まで回転移動される。検査チップ２が測定位置の角度まで回転移動された場合、光源７１の発光による測定光の進行方向に測定部８０Ａ，８０Ｂが並ぶ状態となる。言い換えると、測定部８０Ａ，８０Ｂは、測定光の進行方向に並ぶように配置されている。ＣＰＵ９１の指示に基づき、測定コントローラ９９が光源７１を発光すると、測定光が測定部８０Ａ，８０Ｂに貯溜された第一混合液２６１を透過する。このとき、測定光は、検査チップ２を前側から見た場合に第二部位８０２Ａ，８０２Ｂの中央部を透過する。光センサ７２が受光した測定光の変化量に基づいて、第一混合液２６１の光学測定が行われ、測定データが取得される。次いで、取得された測定データに基づいて、検体１７１の測定結果が算出される。測定結果に基づく検体１７１の検査結果が表示される。なお、測定光の透過位置は、第二部位８０２Ａ，８０２Ｂの中央部に限定されない。測定光の透過位置は、第二部位８０２Ａ，８０２Ｂの右下部等、第二部位８０２Ａ，８０２Ｂの一部であってもよい。また、測定光は、第二部位８０２Ａ，８０２Ｂ全体を透過してもよい。
【００６０】
なお、詳細は後述するが、第一混合液２６１が測定された後、第二試薬１９が第一混合液２６１に混合された第二混合液２６２が測定される。すなわち、図８（Ｇ）に示すように、第二試薬１９が混合される前の第一混合液２６１が使用される測定は、いわゆる盲検測定である。盲検測定が行われた後、第二試薬１９が第一混合液２６１に混合された第二混合液２６２が、測定部８０Ａ，８０Ｂにおいて測定される。すなわち、第一混合液２６１と第二混合液２６２とが、同一の測定部８０Ａ，８０Ｂにおいて測定される。よって、第一混合液２６１と第二混合液２６２とが異なる測定部において測定される場合に比べて、測定部の傷等による誤差が発生し難くなる。よって、精度の良い検査結果が得られる。
【００６１】
盲検測定において、遠心力Ｘが検査チップ２に作用されていない場合、第二試薬１９が遠心力Ｘの作用によって下方に押し付けられない。このため、第二試薬１９が移動し易くなる。特に、脂質関連の項目を検査する場合に、検体１７１に含まれている脂質を分散させるために第二試薬１９に界面活性剤が含まれることが多い。この場合、界面活性剤により、第二試薬１９が第四保持部１６１の外側に移動する可能性が高くなる。同様に、特に、脂質関連の項目を検査する場合に、検体１７１に含まれている脂質を分散させるために第一試薬１８に界面活性剤が含まれることもある。この場合、界面活性剤により、第一試薬１８と混合された検体１７１である第一混合液２６１が測定部８０Ａ、８０Ｂの外側に移動する可能性が高くなる。図８（Ｇ）に示す例では、第二試薬１９が流路壁面１６２と、第四保持部１６１の左側の壁面１６３とをつたって上方に移動している。この状態において、右方向の遠心力Ｘを検査チップ２に作用させると、壁面１６３をつたって上方に移動している第二試薬１９が、第三保持部１６０に流入する場合がある。この場合、第一混合液２６１と混合される第二試薬１９の量が減り、検査精度が悪化する恐れがある。
【００６２】
本実施形態では、第二試薬１９が第三保持部１６０に流入することを防止するため、遠心力Ｘが第四保持部１６１の下方に向けて作用される。これによって、第二試薬１９が第四保持部１６１の下部に押し付けられる。その後、第二試薬１９が接続流路１８０側に移動され、第一混合液２６１と第二試薬１９とが混合される。より詳細には、盲検測定が行われた後、ＣＰＵ９１の指示に基づき、自転コントローラ９８がステッピングモータ５１を駆動制御することによって、検査チップ２が前方からみて反時計回りに９０度自転される。図示しないが、この時、重力Ｇの作用によって、第一混合液２６１の一部が凹部１８６に移動し、第二試薬１９が第四保持部１６１の左部に移動した状態となる。
【００６３】
そして、ＣＰＵ９１の指示に基づき、公転コントローラ９７が主軸モータ３５を制御してターンテーブル３３の駆動が開始され、駆動される。これによって、図８（Ｈ）に示すように、上辺部２１から下辺部２４に向けて検査チップ２に遠心力Ｘが作用する。遠心力Ｘの作用によって第二試薬１９が第四保持部１６１の下部に押し付けられた状態となる。第一混合液２６１は、測定部８０Ａ，８０Ｂに移動する。
【００６４】
次いで、ＣＰＵ９１の指示に基づき、自転コントローラ９８がステッピングモータ５１を駆動制御することによって、図８（Ｉ）に示すように、検査チップ２が前方からみて時計回りに９０度自転される。これによって、検査チップ２の自転角度が０度に設定される。この結果、左辺部２３から右辺部２２に向けて検査チップ２に遠心力Ｘが作用する。遠心力Ｘの作用によって、第二試薬１９が第四保持部１６１から連接部１８１に移動する。遠心力Ｘの作用によって第一混合液２６１と第二試薬１９とが混合され、第二混合液２６２が生成される。
【００６５】
図８及び図９を参照し、図８（Ｈ）に示す検査チップ２の自転角度が９０度の状態から、図８（Ｉ）に示す検査チップ２の自転角度が０度の状態に切り替わる過程における第二試薬１９の流れについて説明する。図８（Ｈ）に示す検査チップ２の自転角度が９０度の状態から、検査チップ２が前方からみて時計回りに自転され始める。遠心力Ｘの作用によって、第一混合液２６１は、測定部８０Ａ，８０Ｂから接続流路１８０側に流出し、連接部１８１に移動する。図９に示すように、遠心力Ｘが流路壁面１６２に直交する方向に作用する状態になると、第二試薬１９が、流路壁面１６２の右端から接続流路１８０に流入する。このとき、第二試薬１９は、直交線１６４に沿って接続流路１８０に流入する。この結果、第二試薬１９は、接続流路１８０において第一混合液２６１と合流する。図８（Ｉ）に示すように、検査チップ２の自転角度が９０度の状態において所定時間遠心力Ｘが検査チップ２に作用され、第二混合液２６２が生成される。
【００６６】
次いで、主軸モータ３５の駆動制御によって、主軸モータ３５が減速駆動され、主軸モータ３５が停止する。故に、検査チップ２の公転が停止される。ＣＰＵ９１の指示に基づき、自転コントローラ９８がステッピングモータ５１を駆動制御することによって、検査チップ２が前方からみて時計回りに９０度自転される。これによって、図８（Ｋ）に示すように、検査チップ２の自転角度が０度に設定される。この結果、上辺部２１から下辺部２４に向けて検査チップ２に重力Ｇが作用する。図示しないが、検査チップ２が自転角度９０度から０度に変化する間、遠心力Ｘが作用されていないので、重力Ｇの作用によって、第二混合液２６２の一部は凹部１８６に移動する。第二混合液２６２が凹部１８６に移動するので、第二混合液２６２が第四保持部１６１に移動する可能性を低減できる。検査チップ２の自転角度が０度になると、重力Ｇの作用によって、一旦凹部１８６に移動した第二混合液２６２が測定部８０Ａ，８０Ｂに再び移動する。第一混合液２６１が光学測定された場合と同様にして、第二混合液２６２が測定され、測定結果が表示される。
【００６７】
＜７．本実施形態の主たる作用・効果＞
以上説明したように、検査装置１は検体１７、第一試薬１８、及び第二試薬１９が注入された検査チップ２を使用可能である。本実施形態では、図６に示すように、測定部８０Ａ，８０Ｂを前後方向に切断した断面８０９Ａ，８０９Ｂの面積は、接続流路１８０を前後方向に切断した断面１８２の面積より小さい。このため、接続流路１８０の断面１８２の面積より大きい断面の面積を有する測定部が設けられている場合に比べて、各測定部８０Ａ，８０Ｂに収納された第一混合液２６１及び第二混合液２６２には、表面張力又は毛管力が強く作用する。よって、第一混合液２６１及び第二混合液が光学測定の際に測定部８０Ａ，８０Ｂから移動する可能性を低減できる。また、測定部８０Ａ，８０Ｂは、前後方向に複数設けられている。このため、測定部８０Ａ，８０Ｂにおいて、前後方向に向けて測定光が透過されて光学測定が行われる場合に、１つの測定部が設けられている場合に比べて、測定光が第一混合液２６１及び第二混合液２６２を透過する長さを長くできる。よって、測定部８０Ａ，８０Ｂに収納された第一混合液２６１及び第二混合液２６２を透過する測定光の強度の変化が大きくなり、測定部８０Ａ，８０Ｂにおける光学測定の測定精度が向上する。このように、測定光が第一混合液２６１及び第二混合液２６２を透過する長さを長くできるので、第一混合液２６１及び第二混合液２６２を透過する測定光の光路長を確保でき、測定精度が向上する。
【００６８】
また、図３及び図５に示すように測定部８０Ａ，８０Ｂのそれぞれにおける左右方向の長さＬ１は、前後方向の長さＬ２より長い。このため、測定光が前後方向に測定部８０Ａ，８０Ｂを透過して測定が行われる場合に、測定部８０Ａ，８０Ｂにおける左右方向の長さＬ１が前後方向の長さＬ２より短い場合に比べて、測定光が測定部８０Ａ，８０Ｂに当たり易くなる。故に、測定光の透過位置と測定部８０Ａ，８０Ｂとの位置ずれによる測定精度の低下を低減することができる。よって、測定部８０Ａ，８０Ｂにおける光学測定の測定精度がさらに向上する。
【００６９】
また、直交線１６４は、隔壁１７４の上端１７５と交差しない。このため、図９に示すように、第二試薬１９は、接続流路１８０において第一混合液２６１と合流する。すなわち、流路壁面１６２を介して流入する第二試薬１９は、測定部８０Ａ，８０Ｂに直接流入するのではなく、測定部８０Ａ，８０Ｂより接続流路１８０側に流入し、測定部８０Ａ，８０Ｂの外側において第一混合液２６１と混合される。このため、第二試薬１９が流路壁面１６２を介して測定部８０Ａ，８０Ｂに直接流入する場合に比べて、一旦測定部８０Ａ，８０Ｂに収納された第一混合液２６１と、第二試薬１９とがより確実に混合される。よって、測定部８０Ａ，８０Ｂにおける光学測定の測定精度がさらに向上する。
【００７０】
上記実施形態において、後方向が本発明の「一方向」に相当する。第一混合液２６１及び第二混合液２６２が本発明の「液体」に相当する。なお、本発明は上記の実施形態に限定されるものではなく、種々の変更が可能である。例えば、直交線１６４は、隔壁１７４の上端１７５と交差してもよい。また、測定部は２以上あればよく、例えば、前後方向に４つの測定部が設けられてもよい。また、測定部８０Ａ，８０Ｂのうちの一方の測定部における左右方向の長さＬ１が前後方向の長さＬ２より長くてもよい。同様に、複数の測定部が設けられている場合、複数の測定部のうちの少なくとも１つの測定部における左右方向の長さＬ１が、前後方向の長さＬ２より長くてもよい。また、測定部８０Ａ，８０Ｂのそれぞれにおける左右方向の長さＬ１が、前後方向の長さＬ２より短くてもよい。
【００７１】
また、図１０に示す検査チップ２０１のように、測定部８０Ａ，８０Ｂを連結する連結路８０３が設けられてもよい。連結路８０３は、隔壁１７４を前後方向に貫通する孔部であり、測定部８０Ａ，８０Ｂの第二部位８０２Ａ，８０２Ｂの左下部に設けられている。この場合、連結路８０３によって測定部８０Ａ，８０Ｂが連結されるので、測定部８０Ａ，８０Ｂに流入する第一混合液２６１及び第二混合液２６２の液面の高さを揃えることができる。よって、測定部８０Ａ，８０Ｂのうち、一部の測定部に収容される第一混合液２６１及び第二混合液２６２の量が不足する可能性を低減できる。よって、測定部８０Ａ，８０Ｂにおける光学測定の測定精度がさらに向上する。
【００７２】
また、連結路の位置は限定されない。図１１に示す検査チップ２０２においては、上下方向において、連結路８０４における接続流路１８０側とは反対側の端である下端８０５が、光学測定が行われる場合における測定光の透過位置８０６の接続流路１８０側の端である上端８０７よりも下側に位置する。この場合、測定光の透過位置８０６より接続流路１８０側に、連結路８０４の下端８０５が設けられている場合に比べて、測定部８０Ａ，８０Ｂにおいて、測定光の透過位置８０６に、より確実に第一混合液２６１及び第二混合液２６２が収納される。よって、測定部８０Ａ，８０Ｂにおける光学測定の測定精度がさらに向上する。
【００７３】
また、連結路８０３，８０４は、隔壁１７４以外に設けられてもよい。例えば、連結路８０３，８０４は、右辺部２２に設けられ、測定部８０Ａ，８０Ｂの右部を連結してもよい。また、連結路８０３，８０４の数も限定されず、複数あってもよい。
【００７４】
また、測定部８０Ａ，８０Ｂは、それぞれ、第一部位８０１Ａ，８０１Ｂと第二部位８０２Ａ，８０２Ｂとを備えていたが、これに限定されない。例えば、図１２に示す検査チップ２０３のように、測定部８０Ａ，８０Ｂは、図３及び図５に示す第二部位８０２Ａ，８０２Ｂと同じ形状の部位のみを備えていてもよい。
【００７５】
また、測定部８０Ａ，８０Ｂの前後方向の長さは限定されない。例えば、図１３に示す検査チップ２０４においては、後側の測定部８０Ｂにおける前後方向の長さＬ３は、前側の測定部８０Ａにおける前後方向の長さＬ４より短い。検査チップ２０４に遠心力Ｘが作用されながら測定部８０Ａ，８０Ｂに第一混合液２６１及び第二混合液２６２が流入される場合には、コリオリ力の作用によって検査チップ２０４の回転方向の反対側である後側に第一混合液２６１及び第二混合液２６２が押し付けられながら、測定部８０Ａ，８０Ｂに流入される場合がある。検査チップ２０４においては、測定部８０Ａ，８０Ｂの前後方向の長さが互いに同じ場合に比べて、前側の測定部８０Ａに第一混合液２６１及び第二混合液２６２が流入し易い。このため、第一混合液２６１及び第二混合液２６２が後側に押し付けられながら測定部８０Ａ，８０Ｂに流入されても、後側の測定部８０Ｂに多くの第一混合液２６１及び第二混合液２６２が流入して前側の測定部８０Ａに流入する量が不足する可能性を低減できる。よって、測定部８０Ａ，８０Ｂにおける光学測定の測定精度がさらに向上する。
【００７６】
なお、測定部が３つ以上設けられている場合、複数の測定部の少なくとも２つの測定部において、後側の測定部における前後方向の長さが、前側の測定部における前後方向の長さより短くてもよい。また、測定部が３つ以上設けられている場合、測定部の位置が後側になればなるほど、測定部の前後方向の長さが短くなってもよい。
【００７７】
また、隔壁１７４の形状は限定されない。例えば、図１４に示す検査チップ２０５においては、隔壁１７４における後方向側の壁面１７６の上端１７７の位置が、隔壁１７４における前方向側の壁面１７８の上端１７９の位置より、接続流路１８０側である上側にある。言い換えると、接続流路１８０と測定部８０Ａ，８０Ｂとが対向する上下方向において、隔壁１７４における後方向側の壁面１７６は、前方向側の壁面１７８より高い。このため、検査チップ２０５においては、壁面１７６と壁面１７８とが互いに同じ高さである場合に比べて、前側の測定部８０Ａに第一混合液２６１及び第二混合液２６２が流入し易い。よって、第一混合液２６１及び第二混合液２６２が後側に押し付けられながら測定部８０Ａ，８０Ｂに流入されても、後側の測定部８０Ｂに多くの第一混合液２６１及び第二混合液２６２が流入して前側の測定部８０Ａに流入する量が不足する可能性を低減できる。よって、測定部８０Ａ，８０Ｂにおける光学測定の測定精度がさらに向上する。
【００７８】
なお、測定部が３つ以上設けられている場合、複数の測定部を隔てる複数の隔壁における少なくとも１つの隔壁において、後側の壁面が、前側の壁面より高くてもよい。また、測定部が３つ以上設けられている場合、複数の測定部を隔てる複数の隔壁の全てにおいて、後側の壁面が、前側の壁面より高くてもよい。
【符号の説明】
【００７９】
１    検査装置
２，２０１，２０２，２０３，２０４，２０５    検査チップ
１７，１７１，１７２    検体
１８    第一試薬
１９    第二試薬
８０Ａ，８０Ｂ    測定部
１６２    流路壁面
１６４    直交線
１７４    隔壁
１７６，１７８    壁面
１８０    接続流路
１８２    断面
２６１    第一混合液
２６２    第二混合液
８０３，８０４    連結路
８０６    透過位置
８０９Ａ，８０９Ｂ    断面
【図１】
2014126519.tif 000003
【図２】
2014126519.tif 000004
【図３】
2014126519.tif 000005
【図４】
2014126519.tif 000006
【図５】
2014126519.tif 000007
【図６】
2014126519.tif 000008
【図７】
2014126519.tif 000009
【図８】
2014126519.tif 000010
【図９】
2014126519.tif 000011
【図１０】
2014126519.tif 000012
【図１１】
2014126519.tif 000013
【図１２】
2014126519.tif 000014
【図１３】
2014126519.tif 000015
【図１４】
2014126519.tif 000016